(57)【要約】【課題】気体状オゾンと霧状水の混合流体を発生するオゾン脱臭装置であって、簡易に運搬及び使用の可能な装置を実現する。【解決手段】霧状水の発生手段として手動式のピストンポンプ、水タンク、噴霧ノズルを備える。またオゾン発生手段として前記手動式ポンプの作動に伴い発電する発電機もしくは電池を電源とするオゾン発生器を備える。このような手段を備えた本発明の実施例を図３に示す。この実施例ではピストンポンプ８を手動で動かすことにより装置外部の空気をオゾン発生器１３を通じて、気体状オゾンと当該ピストンポンプ８の内部に吸引し、噴霧ノズル１６を通じて外部に押し出し、その際水タンク１８内の水が噴霧ノズル１７に吸引されて霧状水となって気体状オゾンと混合され散布される。ここでオゾン発生器１３はピストン８の作動に伴いラック＆ピニオン１１を介して作動する発電機１２より電力の供給を受けてオゾンを発生する。【選択図】図３
2008188327.tif 000002
【特許請求の範囲】
【請求項１】
次のＡ及びＢを備え、Ｃの作用により気体状オゾンと霧状水の混合流体を発生し、空気を脱臭することを特徴とするオゾン脱臭装置。
Ａ霧状水の発生手段として手動式のピストンポンプ、水タンク及び噴霧ノズル。
Ｂ前記Ａの手動式ポンプの作動に伴い発電する発電機及び当該発電機を電源とするオゾン発生器。
Ｃ前記Ａの手動式ポンプを動かすことにより装置外部の空気が前記Ｂのオゾン発生器を通じて、気体状オゾンとなって当該ピストンポンプ内に導入され、前記Ａの噴霧ノズルを通じて外部に放出され、その際前記Ａの水タンク内の水が当該噴霧ノズルに吸引されて霧状水となって気体状オゾンと混合される。
【請求項２】
次のＡ及びＢを備え、Ｃの作用により気体状オゾンと霧状水の混合流体を発生し、空気を脱臭することを特徴とするオゾン脱臭装置。
Ａ霧状水の発生手段として手動式のピストンポンプ、水タンク及び噴霧ノズル。
Ｂ電池及び当該電池を電源とするオゾン発生器。
Ｃ前記Ａの手動式ポンプを動かすことにより装置外部の空気が前記Ｂのオゾン発生器を通じて、気体状オゾンとなって当該ピストンポンプ内に導入され、前記Ａの噴霧ノズルを通じて外部に放出され、その際前記Ａの水タンク内の水が当該噴霧ノズルに吸引されて霧状水となって気体状オゾンと混合される。
【請求項３】
次のＡ及びＢを備え、Ｃの作用により気体状オゾンと霧状水の混合流体を発生し、空気を脱臭することを特徴とするオゾン脱臭装置。
Ａ霧状水の発生手段として手動式のピストンポンプ、空気タンク、水タンク及び噴霧ノズル。
Ｂ前記Ａの手動式ポンプの作動に伴い発電する発電機及び当該発電機を電源とするオゾン発生器。
Ｃ前記Ａの手動式ポンプを動かすことにより装置外部の空気が前記Ｂの空気タンクに加圧蓄積され、更にオゾン発生器を通じて、気体状オゾンとなって、前記Ａの噴霧ノズルを通じて外部に放出され、その際前記Ａの水タンク内の水が当該噴霧ノズルに吸引されて霧状水となって気体状オゾンと混合される。
【請求項４】
次のＡ及びＢを備え、Ｃの作用により気体状オゾンと霧状水の混合流体を発生し、空気を脱臭することを特徴とするオゾン脱臭装置。
Ａ霧状水の発生手段として手動式のピストンポンプ、空気タンク、水タンク及び噴霧ノズル。
Ｂ電池及び当該電池を電源とするオゾン発生器。
Ｃ前記Ａの手動式ポンプを動かすことにより装置外部の空気が前記Ｂの空気タンクに加圧蓄積され、更にオゾン発生器を通じて、気体状オゾンとなって、前記Ａの噴霧ノズルを通じて外部に放出され、その際前記Ａの水タンク内の水が当該噴霧ノズルに吸引されて霧状水となって気体状オゾンと混合される。
【発明の詳細な説明】
【技術分野】
【０００１】
本発明は、家庭や飲食店等人のいる場所で使用するオゾン脱臭装置に関するものである。
【背景技術】
【０００２】
気体状オゾンによる脱臭装置は家庭や飲食店の一部に使用されているが、オゾンは人体に対する有害性があるためにその発生量の調節に困難が伴う。
すなわち安全を重視してオゾンの発生量を少なくすると効果が薄く、また効果を高めるためにオゾンの発生量を多くすると安全性に問題が生じる。
【０００３】
一方近年気体状オゾンと微細な霧状水との混合流体が気体状オゾンより更に効果的な脱臭作用を持つことが明らかにされてきている。
オゾンと微細な霧状水の混合流体を空気中に散布した場合、オゾンは臭気物質その他多くの気体状の有機物と極めて速やかに反応して消滅する。
オゾンが霧状水と混合することによりその反応性が高まる理由は分子状のオゾンが霧状水に溶解する際に分子状オゾンより更に強力な酸化剤であるヒドロオキシラジカル（ＯＨ・）を生成するためであると推定される。（参考文献  オゾンハンドブック：日本オゾン協会編  ページ７１）
【０００４】
オゾンを霧状水と混合して空気中に散布すればオゾンは空気中の臭気物質と極めて速やかにが反応するために空気中に滞留せず、臭気物質が消滅するまでは空気中のオゾン濃度が増大しない。
そこでこのような原理を利用して家庭や飲食店など人がいる場所で安全に使用できるオゾン脱臭装置の実現が可能である。
【０００５】
図１は、オゾン発生器にて発生させた気体状のオゾンを噴霧ノズルに通じて気体状オゾンと霧状水の混合流体を作り空気中の臭気成分を脱臭する装置の概念を示す。
このような原理を利用した装置は例えば特開２００１−１６１８０１、特開平１０−２９０４４及び特開平１０−１６５７５７に示されている。
【０００６】
図２は、オゾン発生器にて発生させた気体状のオゾンを別に噴霧ノズルにより生成された霧状水と混合することにより気体状オゾンと霧状水の混合流体を作り空気中の臭気成分を脱臭する装置の概念を示す。
このような原理を利用した装置は例えば特開２００６−２０５０３５に示されている。
【０００７】
ところでこのような既存の装置は圧縮空気を得るためにコンプレッサあるいはボンベを必要とし、簡易に移動し、使用することが困難であり、家庭や飲食店での普及は期待出来ない、という問題がある。
【特許文献１】特開２００１−１６１８０１号公報
【特許文献２】特開平１０−２９０４４号公報
【特許文献３】特開平１０−１６５７５７号公報
【特許文献４】特開２００６−２０５０３５号公報
【非特許文献１】オゾンハンドブック：日本オゾン協会編
【発明の開示】
【発明が解決しようとする課題】
【０００８】
本発明は家庭や飲食店でも安全に且つ簡易に使用出来るオゾン脱臭装置を実現することを課題とする。
【課題を解決するための手段】
【０００９】
本発明は、気体状オゾンと霧状水の混合流体による脱臭作用を利用したオゾン脱臭装置であって、気体状オゾンを得るための電源として小型発電機もしくは電池を利用し、且つ霧状水を得るために手動式噴霧を利用することを最も主要な特徴とする。
【発明の効果】
【００１０】
本発明のオゾン脱臭装置は、コンプレッサ等の重量機器を有しないために軽量であり、また手動式発電機または電池を利用するために電源への接続も不要であるために簡易に持ち運びが出来、且つ簡易に使用できるという利点がある。
因みにオゾン発生量は４０ｍｇ／ｈｒ程度で脱臭効果が生じるがそのためのオゾン発生器及び手動式発電機は３００ｇ、装置全体で１ｋｇ以下での構成が可能である。
【００１１】
更に本発明のオゾン脱臭装置は、人のいる場所においても安全なオゾン脱臭を可能とするという利点がある。
すなわち気体状オゾンと霧状水の混合流体中のオゾンは空気中の臭気物質等気体状有機物質との反応が極めて速やかであり、従って空気中の気体状有機物質がなくなるまでオゾンが混合流体中及びその近傍で消滅するために周辺の空気中への拡散はわずかである。オゾンの匂いが感じられた時点で手動式の噴霧を停止すれば、オゾンの放出も停止するためオゾンに対する安全が確保できる。
【発明を実施するための最良の形態】
【００１２】
手動式のピストンポンプによる噴霧器を手動式発電器もしくは電池を電源として作動するオゾン発生器を一体として組み込み、霧状水と気体状のオゾンを同時に発生し混合する方式によるオゾン脱臭装置を構成した。
【実施例１】
【００１３】
図３は、本発明の請求項１に関る実施例（実施例１）の断面図である。取っ手１０を手で引いてピストン８をシリンダー７内で動かすことによりオゾン発生器１３より気体状オゾン９を吸入し、次に取っ手１０を押して気体状オゾン９を噴霧ノズル１７を通じて外気に押し出す。噴霧ノズル１７には水タンク１８より水が吸い込まれ霧状水となり気体状オゾンと混合して放出される。
ピストン８の押し引きを繰り返すことにより脱臭に必要な量の気体状オゾンと霧状水の混合流体１９を断続的に空気中に散布する。
【００１４】
この動作において特に取っ手１０を引くときにはラック＆ピニオン１１により小型の発電機１２が作動し、オゾン発生器に電力が供給される。
【００１５】
オゾン発生器は沿面放電式もしくは無声放電式のオゾン発生器である。この形式のオゾン発生器は容量及び構造において各種のものが製品化されていることは周知であり、説明は省略する。
【実施例２】
【００１６】
図４は、本発明の請求項２に関る実施例（実施例２）の断面図である。構造は実施例１とほぼ同様であるが発電機ではなく電池２０が組み込まれてオゾン発生器用の電源とされている点が異なる。
【実施例３】
【００１７】
図５は、本発明の請求項３に関る実施例（実施例３）の断面図である。取っ手１０を手で上下させてピストン８をシリンダー７内で動かすことにより空気を空気タンク２１内に引き込み、同時にラック&ピニオン１１を介して発電機１２を作動させ電力をオゾン発生器に供給する。
【００１８】
空気タンク２１内に加圧、蓄積された加圧空気２４はオゾン発生器１３により気体状オゾンとされて噴霧ノズル１７を通じて外気に押し出される。噴霧ノズル１７には水タンク１８より水が吸い込まれ霧状水となり気体状オゾンと混合して放出される。
ピストン８の上下動を続行ことにより脱臭に必要な量の気体状オゾンと霧状水の混合流体１９を連続的に空気中に散布する。
【実施例４】
【００１９】
図６は、本発明の請求項４に関る実施例（実施例４）の断面図である。構造は実施例３とほぼ同様であるが発電機ではなく電池２０が組み込まれてオゾン発生器用の電源とされている点が異なる。
【産業上の利用可能性】
【００２０】
本発明のオゾン脱臭装置は１ｋｇ以下で構成することも可能であり、片手でも運搬可能で、使用方法も簡易であることから家庭、飲食店、病院、老人ホーム、自動車の内部等の脱臭が必要となる場所で手軽に利用出来る。
【図面の簡単な説明】
【００２１】
【図１】気体状オゾンと霧状水の混合流体による既存の脱臭装置の構成例を示す。
【図２】気体状オゾンと霧状水の混合流体による既存の脱臭装置の構成例を示す。
【図３】本発明の請求項１に関る脱臭装置の実施例（実施例１）を示す。
【図４】本発明の請求項２に関る脱臭装置の実施例（実施例２）を示す。
【図５】本発明の請求項３に関る脱臭装置の実施例（実施例３）を示す。
【図６】本発明の請求項４に関る脱臭装置の実施例（実施例４）を示す。
【符号の説明】
【００２２】
１    オゾン発生器
２    コンプレッサ
３    噴霧ノズル
４    水タンク
５    霧状水と気体状オゾンの混合流体
６    オゾン出口
７    シリンダー
８    ピストン
９    気体状オゾン
１０  取っ手
１１  ラック＆ピニオン
１２  発電機
１３  オゾン発生器
１４  気体状オゾン輸送管
１５  逆止弁
１６  逆止弁
１７  噴霧ノズル
１８  水タンク
１９  霧状水と気体状オゾンの混合流体
２０  電池
２１  空気タンク
２２  空気流量調節弁
２３  加圧空気のオゾン発生器への入口
２４  加圧空気
【図１】
2008188327.tif 000003
【図２】
2008188327.tif 000004
【図３】
2008188327.tif 000005
【図４】
2008188327.tif 000006
【図５】
2008188327.tif 000007
【図６】
2008188327.tif 000008